(57)【要約】【課題】ユーザが滞在する空間において、前記ユーザを特定して、前記ユーザ個人にとって適正な環境になるように、蓄積された情報から自動的に設備機器を調整する。【解決手段】ユーザ空間内の環境を制御する設備機器と、前記ユーザ空間内の状態を計測するセンサと、前記設備機器を駆動制御する制御部と、ユーザ個人のユーザ情報を特定する認証部と、前記センサの計測結果と前記認証部で特定された前記ユーザ情報を入力として前記制御部を制御し、前記ユーザ空間内の環境を前記ユーザ個人の適正環境に整備する演算処理部と、を有する。【選択図】図１
2019066056.tif 000002
【特許請求の範囲】
【請求項１】
ユーザ個人のためのユーザ空間の環境を管理するユーザ空間環境管理システムであって、
前記ユーザ空間内の環境を制御する設備機器と、
前記ユーザ空間内の状態を計測するセンサと、
前記設備機器を駆動制御する制御部と、
前記ユーザ個人のユーザ情報を特定する認証部と、
前記センサの計測結果と前記認証部で特定された前記ユーザ情報を入力として前記制御部を制御し、前記ユーザ空間内の環境を前記ユーザ個人の適正環境に整備する演算処理部と、
を有することを特徴とするユーザ空間環境管理システム。
【請求項２】
さらに、前記演算処理部に入力される前記センサの計測結果と前記ユーザ情報とを蓄積する記録部を有することを特徴とする請求項１に記載のユーザ空間環境管理システム。
【請求項３】
前記センサは、前記ユーザ空間内の状態として、少なくとも光、音及び温湿の１つを計測するものであることを特徴とする請求項１又は請求項２に記載のユーザ空間環境管理システム。
【請求項４】
前記演算処理部は、前記ユーザ情報に対応して前記記録部に蓄積される前記センサの計測結果を分析して前記ユーザ個人の適正環境を算出することを特徴とする請求項２に記載のユーザ空間環境管理システム。
【請求項５】
さらに前記演算処理部への入力及び／又は前記認証部へのユーザ認証情報の入力を可能とする入力端末を有することを特徴とする請求項１に記載のユーザ空間環境管理システム。
【請求項６】
さらに前記センサは、前記ユーザ空間内の状態として、前記ユーザ空間内での前記ユーザ個人の状態を計測するものであることを特徴とする請求項１に記載のユーザ空間環境管理システム。
【請求項７】
前記設備機器は、前記ユーザ空間内の環境として、少なくとも光、音及び温湿の１つを制御するものであることを特徴とする請求項１に記載のユーザ空間環境管理システム。
【請求項８】
複数の前記ユーザ空間が存在する場合に、前記演算処理部は、前記複数のユーザ空間内の環境を前記センサの複数の計測結果と前記認証部で特定された複数の前記ユーザ情報を入力として前記制御部を制御し、前記複数のユーザ空間内の環境を前記複数のユーザ個人の適正環境に整備するものであることを特徴とする請求項１に記載のユーザ空間環境管理システム。
【請求項９】
さらに、前記演算処理部に入力される前記センサの複数の計測結果と前記複数のユーザ情報とを前記ユーザ個人ごとに蓄積する記録部を有することを特徴とする請求項８に記載のユーザ空間環境管理システム。
【請求項１０】
ユーザ個人のためのユーザ空間の環境を管理するユーザ空間環境管理方法であって、
前記ユーザ空間内の環境を設備機器で制御し、
前記ユーザ空間内の状態をセンサで計測し、
前記設備機器を制御部で駆動制御し、
前記ユーザ個人のユーザ情報を認証部で特定し、
前記センサの計測結果と前記認証部で特定された前記ユーザ情報を入力として前記制御部を演算処理部で制御し、前記ユーザ空間内の環境を前記ユーザ個人の適正環境に整備することを特徴とするユーザ空間環境管理方法。
【請求項１１】
ユーザ個人のためのユーザ空間の環境を管理するためのユーザ空間環境管理プログラムであって、
コンピュータに、
前記ユーザ空間内の環境を設備機器で制御する機能と、
前記ユーザ空間内の状態をセンサで計測する機能と、
前記設備機器を制御部で駆動制御する機能と、
前記ユーザ個人のユーザ情報を認証部で特定する機能と、
前記センサの計測結果と前記認証部で特定された前記ユーザ情報を入力として前記制御部を演算処理部で制御する機能と、前記ユーザ空間内の環境を前記ユーザ個人の適正環境に整備する機能とを
実行させることを特徴とするユーザ空間環境管理プログラム。
【発明の詳細な説明】
【技術分野】
【０００１】
本発明は、ユーザ個人が滞在するユーザ空間において、前記ユーザ空間が前記ユーザ個人にとって適正な環境になるように前記ユーザ個人を特定して、特定された当該ユーザ個人の情報と前記ユーザ空間の状態を計測するセンサの情報から自動的に設備機器を制御するユーザ空間環境管理システム、ユーザ空間環境管理方法及びユーザ空間環境管理プログラムに関する。
【０００２】
昨今、滞在場所での過ごし方や睡眠を快適に取ることが身体の健康に繋がることから、これらの環境を適正に整備するための発明が開示されている。
【先行技術文献】
【特許文献】
【０００３】
【特許文献１】特開２００７−４４２０１号明細書
【発明の概要】
【発明が解決しようとする課題】
【０００４】
特許文献１には、睡眠環境調整システム及び睡眠環境調整方法の発明が開示されており、具体的には、光制御手段と、音制御手段と、温度制御手段と、時間計測を行う計時手段と、前記光制御手段、前記音制御手段及び前記温度制御手段を制御する制御手段とで、睡眠環境調整システムを構成し、前記温度制御手段は、所定の入眠時刻までの所定の温度入眠準備時間をかけて、温度を標準設定温度から約３℃低下させるように、空調手段を動作させ、前記光制御手段は、前記入眠時刻から所定の光入眠予備時間をかけて、約３０ルクスから約０ルクスまで照度を減少させるように、光発生手段を動作させ、前記音制御手段は、前記入眠時刻から、前記光入眠予備時間よりも長い所定の音入眠予備時間をかけて、任意に設定した音量から約０デシベルまで音量を減少させるように、音発生手段を動作させ、前記温度入眠準備時間を、１〜５時間の範囲にある時間とし、前記光入眠予備時間を、５〜３０分の範囲にある時間とし、前記音入眠予備時間を、１０〜３０分の範囲にある時間として、睡眠環境調整を行うことによって、入眠時の就寝者の体温変動が速やかに行われて、該就寝者の身体を速やかに睡眠させる状態に導き、就寝者は深い眠りを得る発明が開示されている。
【０００５】
特許文献１は、睡眠時の時間の経過にあわせて、光、音、温度の制御を行う。個々の就寝者により、光、音、温度の制御に係る時間や変化量を一定の範囲で設定することを可能として、就寝者に快適な睡眠を提供する発明である。
しかしながら、睡眠時に快適な環境は個人ごとに異なるが、特許文献１は予め定められた一定の範囲でのみ個人ごとに睡眠環境を調整するものであるから、睡眠する地域、場所、建物等の違いやその他の外的な要因に対して、就寝者を快適な環境で睡眠させるためには改良の余地がある。
【０００６】
そこで、本発明の目的は、ユーザ個人が滞在するユーザ空間において、ユーザ個人を特定し、特定したユーザ個人の情報と前記ユーザ空間の状態を計測するセンサの情報から、前記ユーザ空間の環境を前記ユーザ個人に適正な環境（以下、適正環境と記す）に整備し、且つ、前記ユーザ個人の情報と前記センサの計測結果（光、音及び温湿等）を記憶して管理することにより、前記ユーザ個人が異なる地域、場所、建物等に移動しても、そのユーザ個人のユーザ空間を適正な環境となるように自動的に整備するユーザ空間環境管理システムを提供することにある。
【課題を解決するための手段】
【０００７】
上記問題を解決するため、本発明は、ユーザ個人のためのユーザ空間の環境を管理するユーザ空間環境管理システムであって、前記ユーザ空間内の環境を制御する設備機器と、前記ユーザ空間内の状態を計測するセンサと、前記設備機器を駆動制御する制御部と、前記ユーザ個人のユーザ情報を特定する認証部と、前記センサの計測結果と前記認証部で特定された前記ユーザ情報を入力として前記制御部を制御し、前記ユーザ空間内の環境を前記ユーザ個人の適正環境に整備する演算処理部と、を有することを特徴とする。
【０００８】
本発明に係るユーザ空間環境管理システムは、さらに、前記演算処理部に入力される前記センサの計測結果と前記ユーザ情報とを蓄積する記録部を有することを特徴とする。
【０００９】
本発明に係るユーザ空間環境管理システムの前記センサは、前記ユーザ空間内の状態として、少なくとも光、音及び温湿の１つを計測するものであることを特徴とする。
【００１０】
本発明に係るユーザ空間環境管理システムの前記演算処理部は、前記ユーザ情報に対応して前記記録部に蓄積される前記センサの計測結果を分析して前記ユーザ個人の適正環境を算出することを特徴とする。
【００１１】
本発明に係るユーザ空間環境管理システムは、さらに前記演算処理部への入力及び／又は前記認証部へのユーザ認証情報の入力を可能とする入力端末を有することを特徴とする。
【００１２】
本発明に係るユーザ空間環境管理システムの前記センサは、前記ユーザ空間内の状態として、前記ユーザ空間内での前記ユーザ個人の状態を計測するものであることを特徴とする。
【００１３】
本発明に係るユーザ空間環境管理システムの前記設備機器は、前記ユーザ空間内の環境として、少なくとも光、音及び温湿の１つを制御するものであることを特徴とする。
【００１４】
本発明に係るユーザ空間環境管理システムは、複数の前記ユーザ空間が存在する場合に、前記演算処理部は、前記複数のユーザ空間内の環境を前記センサの複数の計測結果と前記認証部で特定された複数の前記ユーザ情報を入力として前記制御部を制御し、前記複数のユーザ空間内の環境を前記複数のユーザ個人の適正環境に整備するものであることを特徴とする。
【００１５】
本発明に係るユーザ空間環境管理システムは、さらに、前記演算処理部に入力される前記センサの複数の計測結果と前記複数のユーザ情報とを前記ユーザ個人ごとに蓄積する記録部を有することを特徴とする。
【００１６】
本発明は、ユーザ個人のためのユーザ空間の環境を管理するユーザ空間環境管理方法であって、前記ユーザ空間内の環境を設備機器で制御し、前記ユーザ空間内の状態をセンサで計測し、前記設備機器を制御部で駆動制御し、前記ユーザ個人のユーザ情報を認証部で特定し、前記センサの計測結果と前記認証部で特定された前記ユーザ情報を入力として前記制御部を演算処理部で制御し、前記ユーザ空間内の環境を前記ユーザ個人の適正環境に整備することを特徴とする。
【００１７】
本発明は、ユーザ個人のためのユーザ空間の環境を管理するためのユーザ空間環境管理プログラムであって、コンピュータに、前記ユーザ空間内の環境を設備機器で制御する機能と、前記ユーザ空間内の状態をセンサで計測する機能と、前記設備機器を制御部で駆動制御する機能と、前記ユーザ個人のユーザ情報を認証部で特定する機能と、前記センサの計測結果と前記認証部で特定された前記ユーザ情報を入力として前記制御部を演算処理部で制御する機能と、前記ユーザ空間内の環境を前記ユーザ個人の適正環境に整備する機能とを実行させることを特徴とする。
【発明の効果】
【００１８】
以上の様に、本発明によれば、ユーザ個人のユーザ情報を特定し、特定したユーザ個人が滞在するユーザ空間内の状態をセンサで計測し、前記センサの計測結果と前記特定された前記ユーザ情報を入力として前記ユーザ空間内の環境を設備機器で制御するため、前記ユーザ個人に対応させて適正環境に整備することができる。
さらに、前記センサの計測結果及び前記ユーザ情報を記憶し管理することにより、ユーザ個人が滞在する空間が異なる場合であっても、そのユーザ個人のユーザ空間内には適正環境を自動的に再現することができる。
【００１９】
前記演算処理部に入力される前記センサの計測結果と前記ユーザ情報とを蓄積する記録部を有することにより、ユーザ個人が以前と異なる空間に移動したり滞在したりしても、そのユーザ個人のユーザ空間の計測結果を記録部に蓄積することができる。
【００２０】
前記センサは、前記ユーザ空間内の状態として、少なくとも光、音及び温湿の１つを計測するものであることにより、ユーザ個人が滞在した前記ユーザ空間内の実際の光、音及び温湿の計測結果を少なくとも用いて、以降のユーザ空間内の環境を適正環境に整備するための情報とすることができる。
【００２１】
前記演算処理部は、前記ユーザ情報に対応して前記記録部に蓄積される前記センサの計測結果を分析して前記ユーザ個人の適正環境を算出することにより、分析結果からユーザ空間内の環境を制御する設備機器を制御部で駆動制御し、前記ユーザ空間内の環境を前記ユーザ個人の適正環境に自動で整備することができる。
また、現在及び過去の時間帯の前記センサの計測結果を蓄積し分析することで、将来の時間帯におけるユーザ空間に対して適正環境を提供することができる。
【００２２】
前記演算処理部への入力及び／又は前記認証部へのユーザ認証情報の入力を可能とする入力端末を有することにより、ユーザ個人又は他者による入力によって、前記ユーザ空間内の環境をユーザ個人が任意に調整（整備）することができる。
【００２３】
前記センサは、前記ユーザ空間内の状態として、前記ユーザ空間内での前記ユーザ個人の状態を計測するものであることにより、ユーザ個人の生体データ、体動等を計測結果として記録部に蓄積し、ユーザ個人の状態等にあわせて、前記ユーザ空間内の環境を前記ユーザ個人の状態に適した適正環境に自動で整備することができる。
【００２４】
前記設備機器は、前記ユーザ空間内の環境として、少なくとも光、音及び温湿の１つを制御するものであることにより、各ユーザ個人のユーザ空間内の環境を前記設備機器で整備することができる。
【００２５】
複数の前記ユーザ空間が存在する場合に、前記複数のユーザ空間内の環境を複数のユーザ個人ごとに前記センサの複数の計測結果を蓄積し、前記複数のユーザ個人ごとの適正環境に整備する。これにより、例えば、ホテルの多人数部屋（ツインルーム、トリプルルーム等）や、病院の多床室（４人部屋、１０人部屋等）では、従来は部屋ごとに空調や音、照明等を調整するため、複数のユーザ個人（患者）が一律な環境となっていたが、本発明では、複数のユーザ個人（患者）が同じ部屋に滞在しても、ユーザ個人（患者）ごとにユーザ空間を設定して、各ユーザ個人（患者）の環境（光、音及び温湿）を嗜好や病状に応じた適正環境に整備して過ごすことができる。
【００２６】
前記演算処理部に入力される前記センサの複数の計測結果と前記複数のユーザ情報とを前記ユーザ個人ごとに蓄積する記録部を有することにより、前記複数のユーザ空間内の環境を複数のユーザ個人ごとに前記センサの複数の計測結果を蓄積することができる。これにより、例えば、ホテルの多人数部屋や、病院の多床室では、複数のユーザ個人（患者）が同じ部屋に滞在しても、ユーザ個人（患者）が入れ替わったり、以前と異なる病室に移動したりしても、そのユーザ個人（患者）のユーザ空間の計測結果を記録部に蓄積することができる。
【図面の簡単な説明】
【００２７】
【図１】実施形態１に係るシステム構成図である。
【図２Ａ】実施形態１の多床室に係るユーザ空間内の設備機器及びセンサの配置の例を示す図である。
【図２Ｂ】実施形態１のオフィスに係るユーザ空間内の設備機器及びセンサの配置の例を示す図である。
【図３】実施形態１に係るユーザ空間内の環境の推移の例を示す図であり、図３（Ａ）は温湿（温度のみ）、図３（Ｂ）光、図３（Ｃ）は音の推移の例を示す図である。
【図４】実施形態１に係る夜間のユーザ空間内の温度の推移の例を示す図である。
【図５】実施形態１に係る昼間のユーザ空間内の温度の推移の例を示す図である。
【図６】実施形態１に係る処理フロー図である。
【発明を実施するための形態】
【００２８】
ここで、本発明でユーザ空間内の環境とは、ユーザ個人が過ごすユーザ空間内の光、音及び温湿等（匂い、風量、等も含む）をいう。
【００２９】
また、本発明で計測結果とは、後述するセンサが出力する少なくとも光、音及び温湿等の１以上の値からなり、記録部に、現在及び過去の計測結果が蓄積されている。
【００３０】
また、本発明で「適正」とは、ユーザ個人の体調を整えたり、作業効率を上げたりするための最適な状態を言う。例えば、以下のことが「適正」であるといえる。
・ユーザ個人が快適に感じることをいう。例えば、暑くもなく、寒くもない温度、湿度、光量、音（騒音、音楽）等の状態にある。
・ユーザ個人が療養中の場合、ユーザ個人の意志にかかわらず、ユーザ個人の病状の療養にとって最適な光、音、温湿等の状態にあること。
・ユーザ個人の作業効率が上がる状態にあること、例えば、適切な室温、寒色系の光源で作業、ＢＧＭの音等である。
・ユーザ個人の体内時計を調整する状態にあること、例えば、光量で体内時計を調整し、ユーザ個人を睡眠に誘導する。周辺の他人と体内時計を合わせ、他人と同じ生活リズムにする等。
なお、「適正」の例は、これらに限定される物では無い。
【００３１】
また、本発明で「適正環境」とは、ユーザ空間内でユーザ個人が「適正」な状態に成るように、光、音、及び温湿等を調整したユーザ空間内の環境のことを言う。
【００３２】
また、「適正環境データ」とは、ユーザ空間のセンサが「適正環境」の計測結果を出力し、演算処理部が記録部に蓄積された計測結果を分析し、前記ユーザ空間内の、ユーザ個人の適正環境（光、音及び温湿等に係るセンサの出力値）を算出した値のことをいう。
【００３３】
＜実施形態１＞
本発明の実施形態１の構成について、図１、図２Ａ及び図２Ｂを参照して説明する。なお、実施形態１では、「環境」について、「光、音及び温湿」の３つの要素に限定して説明する。
図１は本発明の実施形態に係るシステム構成図、図２Ａは病室（多床）の、図２Ｂはオフィスにおける、ユーザ空間の設備機器及びセンサの配置の例を示す図である。
【００３４】
図１に示すように、ユーザ空間環境管理システム１は、通信ネットワーク２と、中央管理装置１０と、１以上の滞在空間２０とを有する。
中央管理装置１０は、認証部１１と、演算処理部１２と、記録部１３とを有する。
【００３５】
認証部１１は、入力端末２２等から入力されたユーザ個人の情報を検索キーとして、記録部１３に記録されているユーザ個人のユーザ情報を特定する機能を有する。本発明のユーザ認証は、記録部１３に蓄積された計測結果をユーザ個人が同一人物として特定して利用できるものであればよく、個人名を伏せた会員番号やユーザＩＤ等の情報により、ユーザ個人の特定を行なっても良い。よって、医療機関等で本発明を使用する場合は、個人名から症状等の機密性の高い情報を特定、漏洩することを防ぎ、高いセキュアな状態で使用することができる。ユーザ情報の特定を行うことにより、ユーザ個人の現在及び過去の蓄積された計測結果を分析可能とすることで、より精度の高いユーザ個人の適正環境を提供することができる。
【００３６】
演算処理部１２は、記録部１３よりユーザ情報をキーとして、蓄積された計測結果を取得してユーザ個人の適正環境を分析し、前記分析した結果を用いて、ユーザ空間２１内をユーザ個人にとって適正環境に整備するための制御用のデータ（以下、適正環境データ）を算出する。そして演算処理部１２は、算出した適正環境データと実際のセンサ２７の計測結果とのズレ（差分）が生じているか否かの判断を行い、ズレが生じていた場合は、適正環境データとセンサ２７の計測結果とがズレが無いように設備機器２５の駆動制御を行う環境補正データ作成する。例えば、図４（ｃ）で、適正環境データＴＢｎと計測結果ＴＵｎとを比較してズレが生じていない場合は、環境補正データの内容は「＋−０度」となる。また、適正環境データＴＢｎが２８度であるが、計測結果ＴＵｎが２７度とズレが生じている場合、ＴＵｎをＴＢｎの２８度に補正するために、演算処理部１２は、環境補正データの内容を、例えば「＋１度」として作成する。
そして、演算処理部１２は、作成した環境補正データを制御部２６に出力する。
【００３７】
記録部１３は、ユーザ個人の、ユーザ空間２１の環境に係る各種のセンサ２７の計測結果及び、ユーザ個人の個人情報、属性情報等であるユーザ情報を記録（蓄積）するデータベースである。また、計測結果には、センサ２７が出力した日付、時刻を含めて記録する。さらに、付加情報として、センサ２７の位置情報やセンサＩＤ、或いは、気象情報等を付加して記録しても良い。
センサ２７の計測結果を蓄積することで、蓄積する計測結果の量が多ければ多いほど、演算処理部１２は精度の高い分析結果を導くことができる。記録部１３のデータベースの物理的、ソフトウェア的な構成は、一般的なデータベースの構成で良く、詳細な説明は省略する。
【００３８】
また、本発明で「属性情報」とは、ユーザ個人に係る情報（年齢、性別、嗜好、等）を言う。図４（Ａ）に示す、最初の適正環境データの算出に使用するために入力端末２２から「４０代、女性、寒がり」の属性情報を入力する。この属性情報は、ユーザ情報が記録部１３に蓄積されていない場合、該当する属性情報「４０代、女性、寒がり」を適正環境データの基本（図４（Ａ）に示すＴＢ１）として使用する。またこれ以外の使い方として、記録部１３に蓄積された多数のユーザ個人の計測結果を跨って、属性情報を用いて分類／分析する際にも利用可能である。
【００３９】
また、記録部１３に記録されるユーザ個人に係る情報としては、入力端末２２からの入力データのみならず、他の処理システムからユーザ個人に関する情報を取り込み、活用するようにしても良い。
【００４０】
次に、滞在空間２０及びユーザ空間２１について、図１、図２Ａ及び図２Ｂを参照して説明する。
滞在空間２０は、ユーザ個人が滞在する場所であり、内部に領域として、１以上のユーザ空間２１を有する。滞在空間２０は、病院、介護施設等の大小の部屋や、ホテルの部屋、オフィス等の、物理的にユーザ個人が滞在するための場所である。ユーザ空間２１は、滞在空間２０内に１以上設けられた、ユーザ個人が滞在する領域である。例えば、病院の多床室（４人部屋、１０人部屋等）は、１つの滞在空間２０に複数のユーザ空間２１（４個、１０個等）が設けられる。また、ホテルの多人数部屋（ツインルーム、トリプルルーム等）は、複数のベッドごとにユーザ空間２１を設けてもよい。図１では、滞在空間２０（１）内に、ユーザ空間２１（１−Ａ）、（１−Ｂ）・・・（１−ｎ）が設けられている。この場合、ユーザ空間２１同士の境界は、カーテンやパーテション等で間仕切りを設けて物理的に仕切っても良いし、間仕切りを使用せず、所定の範囲（○ｍ×○ｍや、半径○ｍ、等）と論理的に定義しても良い。
【００４１】
また、ホテルや病院の個室では、部屋全体を「滞在空間２０」＝「ユーザ空間２１」と定義しても良い。或いは、部屋の一部のみを滞在空間２０、ユーザ空間２１と定義しても良い。
【００４２】
また、ユーザ個人は使用ごとに他の異なるユーザ空間２１を使用しても良い。例えば、図１でユーザ空間２１（１−Ａ）から、ユーザ空間２１（１−Ｂ）に移動して使用する等である。これは、例えば、ホテルの多人数部屋、医療関係の多床室でベッドを移動して使用する、オフィス内で、座席を変えて使用する、等を考慮するものである。
【００４３】
また、ユーザ個人は使用する目的や時間ごとに他の異なる滞在空間２０に移動して使用しても良い。例えば、滞在空間２０（１）のユーザ空間２１（１−Ａ）から、滞在空間２０（ｎ）のユーザ空間２１（ｎ−Ｂ）に移動して使用する等である。
これは、例えば、医療関係で、他の病室に移動して使用する、病院を転院する、他の場所のホテルや同一ホテルの他の部屋を使用する、オフィスの階やビルを引っ越す、他の部屋で作業を行う等を考慮するものである。
【００４４】
このように、本発明では、ユーザ個人が使用する目的や時間によって滞在する滞在空間２０が異なっても、記録部１３に蓄積された計測結果から、何れのユーザ空間２１でもユーザ個人に適正環境を提供することができるものである。
【００４５】
図１、図２Ａ及び図２Ｂに示すように、ユーザ空間２１は、入力端末２２と、設備機器２５と制御部２６と、センサ２７とを有する。
【００４６】
設備機器２５は、ユーザ空間２１の環境を整備するための機器であり、ユーザ空間２１内の環境として、光、音及び温湿を整備する機器を有する。
【００４７】
図２Ａ及び図２Ｂに示すように、設備機器２５には、温湿の環境を整備する機器として、エアーコンディショナー２５ａ（以下、エアコン２５ａ，２５ａ１、２５ａ２）、除湿／加湿器等がある。
また、光の環境を整備する照明機器２５ｂとして、電灯２５ｂ１等の電気照明、模擬窓２５ｂ２等の採光設備や電動カーテン２５ｂ３、ブラインド等の遮光機器、等がある。
また、音の環境を整備する音機器として、スピーカー２５ｃ、２５ｃ１等がある。
【００４８】
設備機器２５は、演算処理部１２が動作を指示するための環境補正データを制御部２６へ出力し、制御部２６は環境補正データを受信して、設備機器２５の出力の制御を行う。
【００４９】
設備機器２５の設置場所は、ユーザ空間２１に個々に設置しても良いし、例えば、１台のエアコン２５ａが個別に制御可能な複数の噴出口を持つような場合、個々のユーザ空間２１に対して１つの噴出口を割り当てても良い。つまり、他のユーザ空間２１とは独立した環境を整備する制御をすることができる機器及び配置であれば良い。
【００５０】
入力端末２２は、ユーザ個人等が、演算処理部１２に適正環境データの変更（室温の上下、照明の明暗、音出力の大小、等）の入力や、ユーザ認証情報としてのユーザ個人等の情報を入力するための機器である。入力端末２２に入力をするのは、ユーザ個人のみならず、病院や療養施設であれば、医師、受付担当者、介護士、看護師等がユーザ個人に係る情報を入力しても良いし、ホテルであれば、フロント係等が、ユーザ個人に係る情報を入力しても良い。形状は、据え置き型の端末機でも良いが、可搬型のタブレット端末が好ましい。また、他のシステムに係る情報を取り込めるようにしても良い。
【００５１】
入力端末２２に入力する入力方法は画面のタッチパネル、キーボード、及びマウス等で入力するものや、入力端末２２に読み取り装置（図示せず）を接続して、磁気、ＩＣ等のカードを読み取らせるもの、指紋・虹彩、顔等の生体認証などでも良い。
【００５２】
制御部２６は、各設備機器２５に備えられ、通信ネットワーク２を介して、中央管理装置１０の演算処理部１２から出力された環境補正データに基づいて、設備機器２５の動作の実行、出力・状態の変更、停止等の命令を発する機能を有する。
【００５３】
設備機器２５がエアコン２５ａであれば、空調制御部２６ａは温度の調整として冷房／暖房の切り替え、温度の上昇／下降、風量の調整、除湿／加湿器のＯＮ／ＯＦＦ等の実行を命令する。設備機器２５が照明機器２５ｂであれば、照明制御部２６ｂは照明の明暗の調整、色温度の調整、窓等の遮光用品（ブラインド、電動カーテン）の開閉等の実行を命令する。また、設備機器２５がスピーカー２５ｃを含む音機器であれば、音制御部２６ｃは出力する音、音楽の選択や、ホワイトノイズ／ブラウンノイズ等、音量の調整を命令する。
【００５４】
センサ２７は、ユーザ空間２１内の環境を計測するための環境センサであり、温湿センサ２７ａ、光センサ２７ｂ、音センサ２７ｃとからなる。
光、音及び温湿は、人間が適正に過ごすための重要な要素であり、これらを計測して分析することによって、より適正なユーザ空間２１を提供することができる。センサ２７は、ユーザ空間２１内の環境に係る計測結果を出力し、出力された計測結果は、通信ネットワーク２を介し中央管理装置１０の記録部１３に記録する。
【００５５】
温湿センサ２７ａは、ユーザ空間２１内の温度及び／又は湿度を計測し、光センサ２７ｂは、ユーザ空間２１内の光（照度）を計測し、音センサ２７ｃは、ユーザ空間２１内で聞こえる各種の音の騒音レベルや、周波数等を出力する。ユーザ個人に不可聴な周波数も収集して良い。また、計測結果の出力は所定の時間間隔で行ない、記録部１３に蓄積する。
【００５６】
また、センサ２７は、環境センサに加えて生体センサを構成に加えても良い。生体センサは、ユーザ自身に装着され、ユーザ個人の生体情報を取得するセンサ類である。ユーザ個人の生体情報としては、例えば、体温、心拍数、呼吸数、血圧、脳波、体動等がある。生体センサのユーザ個人への装着は、リストバンド型やヘアバンド型等、ユーザ個人の生体情報が取得できる構成であれば、形状や大きさ、取得可能な生体情報の種類を限定するものではない。
【００５７】
なお、本発明では、環境センサ２７として、温湿センサ２７ａ、光センサ２７ｂ、音センサ２７ｃ、及び生体センサについて説明したが、その他の環境を計測するセンサを加えても良い。例えば、撮像センサを用いたカメラや、ユーザ個人の動きを捉える人感センサ、等のユーザ空間２１内でユーザ個人の状態を計測することができるものであれば、何れの機器を設けても良い。
【００５８】
これらのセンサ２７の設置位置は、ユーザ空間２１内の状態を検知する位置に設置する。より具体的には、ユーザ個人の近傍に設置することが好ましい。例えば、図２Ａ及び図２Ｂに示すように、睡眠時のベッドの枕元や、作業時の机等のユーザ個人の近傍の位置に設置すると、よりユーザ個人が感じる環境（光、音、温湿）に近いセンサ２７の計測結果を蓄積することができる。そして、蓄積された計測結果から、より精密な適正環境を演算処理部１２は分析することができる。
【００５９】
上述の設備機器２５とセンサ２７の設置例として、図２Ａ及び図２Ｂに示すように、設備機器２５とセンサ２７の内の幾つかを組み込んで一体化した什器２８（パーテション、収納家具、等）を作成し、ユーザ空間２１内に設置しても良い。図２Ａ及び図２Ｂの什器２８には、設備機器２５として、電灯２５ｂ１、模擬窓２５ｂ２、スピーカー２５ｃ１及び、センサ２７として、温湿センサ２７ａ１、光センサ２７ｂ１、音センサ２７ｃ１を組み込んで一体化している。
【００６０】
さらに、図２Ａ及び図２Ｂでは、これらの機器を一体化した什器２８によって間仕切りして、間仕切りした内部をユーザ空間２１Ｂとしている。壁等に設備機器２５とセンサ２７を設置しようとすると、壁への取り付けや配線等の工事と費用が生じるが、什器２８に必要な設備機器２５とセンサ２７を組み込むことで、什器２８を設置するだけで、容易にユーザ空間２１を設置、解体する事ができる。
また、照明機器２５ｂとスピーカー２５ｃの代わりに、テレビ／モニターと内蔵スピーカーで代用するようにしても良い。
【００６１】
＜環境の整備の基本動作＞
本発明のユーザ空間環境管理システム１に係る、ユーザ空間２１を適正環境に整備するために、演算処理部１２が適正環境データを算出する動作について、図３及び図４を用いて説明する。
【００６２】
本発明は、認証部１１によりユーザ個人のユーザ情報を特定し、特定されたユーザ情報を入力として、記録部１３に蓄積されている計測結果を取得して、ユーザ個人の適正環境を分析し、さらにセンサ２７の計測結果を記録部１３に蓄積して、計測結果の分析を行ない、ユーザ空間２１内の環境をユーザ個人にとって適正環境に整備するための適正環境データを算出して、前記適正環境データとセンサ２７の計測結果の差分を補正する環境補正データを作成して制御部２６に出力し、制御部２６は前記環境補正データに基づいて設備機器２５を駆動制御することで、ユーザ個人の近傍に設置されたセンサ２７の計測結果がユーザ個人の適正環境となるように、ユーザ空間２１内の環境を整備するものである。
【００６３】
図３は、ユーザ空間２１内の環境の推移の例を示す図である。また、図４は、ユーザ空間２１内の環境のうち、夜間の温度の推移の例を示す図である。図３は、ユーザ空間２１内の環境の２４時間の推移の例として、図３（Ａ）はユーザ空間２１内の温湿（温度のみ）、図３（Ｂ）はユーザ空間２１内の光、図３（Ｃ）はユーザ空間２１内の音をそれぞれ示している。
【００６４】
演算処理部１２は、ユーザ空間２１内の環境を整備するために、先ず、温度ＴＢ１、光ＬＢ１、音ＳＢ１の適正環境データを算出し、適正環境データと各センサ２７の計測結果の差分を補正する環境補正データを作成し、制御部２６に出力する。制御部２６は、出力された環境補正データに基づいて、設備機器２５（エアコン２５ａ、照明機器２５ｂ、スピーカー２５ｃ）を駆動制御し、ユーザ空間２１内の環境を整備する。このときの環境補正データは、各センサ２７の計測結果が適正環境データとなるように設備機器２５（エアコン２５ａ、照明機器２５ｂ、スピーカー２５ｃ）を駆動制御する内容となっている。
【００６５】
しかしながら、実際にユーザ個人がユーザ空間２１内に滞在して、温度ＴＢ１、光ＬＢ１、音ＳＢ１の設定では適正ではないと感じると、入力端末２２から演算処理部１２への光、音及び温湿の何れか１以上の設定を変更する入力を行なう。演算処理部１２は、変更入力を受付け、新たな適正環境データを算出し、新たな適正環境データと各センサ２７の計測結果の差分を補正する環境補正データを作成し、制御部２６に出力する。制御部２６は、環境補正データに基づいて、設備機器２５を駆動制御し、ユーザ空間２１内の環境を整備する。このとき、各センサ２７の計測結果は、温度ＴＵ１、光ＬＵ１、音ＳＵ１であり、これら温度ＴＵ１、光ＬＵ１、音ＳＵ１を記録部１３に蓄積するものである。
【００６６】
次にユーザ空間２１内の環境の計測結果の出力について、具体的に図４を用いて説明する。制御対象である環境の光、音及び温湿のうち、温湿の「温度」を例として説明する。図４（Ａ）乃至図４（Ｃ）は、図３（Ａ）の温湿の推移のグラフのうち、夜間における温度に係る温度推移と設備機器２５の制御について説明する図である。
【００６７】
まず、ユーザ個人は、入力端末２２等から入力し、認証部１１でユーザ個人のユーザ情報を特定する。特定の結果、演算処理部１２は、ユーザ個人の計測結果が記録部１３に存在しない場合は、入力端末２２から属性情報を入力して、最初の適正環境データを整備する。属性情報として例えば、「女性、４０代、寒がり（図４（Ａ）に示すＴＢ１）」「男性、２０代、暑がり（図示せず）」等、幾つかの条件を入力する。入力された属性情報を基に、幾つかのパターンから自動的に最初の適正環境データ（温度ＴＢ１）を整備する。
【００６８】
演算処理部１２は、最初の適正環境データＴＢ１が決まると適正環境データＴＢ１と各センサ２７の計測結果の差分を補正する環境補正データを作成し、制御部２６に出力する。制御部２６は、環境補正データに基づいて、各設備機器２５を駆動制御する。このとき、ユーザ個人が適正環境データＴＢ１で整備されたユーザ空間２１内の環境が適正であり不満を感じなければ、継続して適正環境データＴＢ１の設定のまま制御が続けられる。
【００６９】
しかしながら、適正環境データＴＢ１で駆動制御中に、ユーザ個人は適正環境データＴＢ１では温度が適正ではないと不満を感じた場合は、入力端末２２から、演算処理部１２へ適正環境データを補正する入力を行う。図４（Ａ）ではユーザ個人はＩＮ１で温度が低いと感じ、入力端末２２から、温度を上昇させている。次に、ユーザ個人はＩＮ２で温度を上昇させ、さらに、ＩＮ３では温度を下降させるよう、入力端末２２から入力を行っている。このとき、温度センサ２７ａの計測結果ＴＵ１は、記録部１３に蓄積される。
【００７０】
次に、図４（Ｂ）に示す、２回目のユーザ空間２１の使用時には、ユーザ個人が認証部１１でユーザ情報を特定されると、ユーザ情報を元に、演算処理部１２は、記録部１３からユーザ個人の蓄積された計測結果ＴＵ１が抽出され、分析される。そして分析結果として、２回目の使用時では、適正環境データＴＢ２（＝過去の計測結果ＴＵ１）が算出される。演算処理部１２は、適正環境データＴＢ２と各センサ２７の計測結果の差分を補正する環境補正データを作成し、制御部２６に出力する。制御部２６は、環境補正データに基づいて、設備機器２５のエアコン２５ａを駆動制御する。このとき、ユーザ個人が適正環境データＴＢ２の環境が適正であり不満を感じなければ、適正環境データＴＢ２のまま制御が続けられる。図４（Ｂ）の場合、ユーザ個人はＩＮ４で適正環境データＴＢ２では温度が低いと感じ、入力端末２２から、温度を上昇させている。このとき、温度センサ２７ａの計測結果は、計測結果ＴＵ２として記録部１３に蓄積される。
【００７１】
そして、図４（Ｃ）に示す、ｎ回目のユーザ空間２１の使用時には、ユーザ個人が認証部１１でユーザ情報を特定されると、ユーザ情報を元に、記録部１３からユーザ個人の蓄積された計測結果ＴＵ１、ＴＵ２乃至ＴＵ（ｎー１）が抽出され、分析される。計測結果ＴＵ１及びＴＵ２では、ＩＮ４以降の適正環境が異なるので、演算処理部１２は、計測結果ＴＵ１乃至ＴＵ（ｎー１）の差分や、外的要因（気温、ユーザ空間の方角等）を考慮して分析し、ユーザ個人が最も適正だと感じられる適正環境に整備するための適正環境データＴＢｎを算出する。演算処理部１２は、適正環境データＴＢｎと各センサ２７の計測結果の差分を補正する環境補正データを作成し、制御部２６に出力する。
【００７２】
制御部２６は、環境補正データに基づいて、設備機器２５を駆動制御する。このとき、ユーザ個人が適正環境データＴＢｎの環境が適正であり不満を感じなければ、適正環境データＴＢｎのまま制御が続けられる。このとき、センサ２７の計測結果ＴＵｎは記録部１３に蓄積される。
【００７３】
このように、センサ２７の計測結果を複数蓄積し、演算処理部１２は、その蓄積された計測結果から分析して、ユーザ空間２１内を適正環境に整備するための適正環境データを算出し、また、適正環境データとセンサ２７の計測結果との差分を補正する環境補正データを作成し、制御部２６は、その環境補正データに基づいて設備機器２５を駆動制御して、そのときのユーザ空間２１内のセンサ２７の計測結果をさらに蓄積する、という、計測結果の蓄積と分析とを繰り返すことで、ユーザ個人の適正環境を分析する精度が向上する。
【００７４】
なお、演算処理部１２における、分析とは下記のパターンがある。
（１）ユーザ個人単位での分析
ユーザ個人に係る現在又は過去の蓄積された計測結果のデータから、そのユーザ個人が使用するユーザ空間２１の環境を適正環境に整備する適正環境データの算出を行う。例えば、使用するユーザ空間２１の状態（設置場所、時刻、季節）や過去の当該ユーザ空間２１のセンサ２７の出力した計測結果（日付／時刻、位置情報、センサＩＤ等を含む）から、ユーザ個人がユーザ空間２１内に滞在期間中を快適に過すことができる（暑すぎず／寒すぎず、リラックスできる等）ように、設備機器２５をどのように動作させるかを決定する。
（２）複数のユーザに跨った分析
複数のユーザ個人の属性情報「性別、年代、嗜好（暑がり、寒がり）等」ごとに集計、分析することで、ユーザ個人が有する属性情報ごとにふさわしいと推定されるユーザ空間２１の適正環境を導き出す。この導き出された適正環境は、認証部１１でユーザ情報が特定されない新たなユーザ個人の場合、蓄積された計測結果の分析が行えないため、新たなユーザ個人の入力された属性情報に基づき、最初の適正環境データとして使用される。
【００７５】
次に適正環境データと実際の計測結果との間にズレが生じた場の対処法について、説明する。実際に本発明を運用し、所定の時間間隔で計測結果の蓄積及び算出をしていると、適正環境データと実際の計測結果との間にズレが生じることがある。例えば、一定していた適正環境データに続いて、あるタイミングで変動する適正環境データが算出された場合や、図４（Ｂ）に記載のＥ１乃至Ｅ３では適正環境データＴＢ２と計測結果ＴＵ２とにズレが生じ、図４（Ｃ）に記載のＥ４乃至Ｅ６では適正環境データＴＢｎと計測結果ＴＵｎとがズレが生じている。
【００７６】
演算処理部１２は、図４（Ｂ）に記載の適正環境データＴＢ２と計測結果ＴＵ２とのズレをＴＢ２に戻すように、及び図４（Ｃ）に記載の適正環境データＴＢｎと計測結果ＴＵｎとのズレをＴＢｎに戻すように、設備機器２５を制御する環境補正データを作成する。制御部２６は前記環境補正データに基づいて設備機器２５を制御する。
【００７７】
上記の図４（Ａ）乃至図４（Ｃ）は、夜間の温度について説明したが、音及び光についても温度と同様に、センサ２７の計測結果ＬＵ１〜ＬＵｎ及びＳＵ１〜ＳＵｎを蓄積し、演算処理部１２で分析して、新たな適正環境データＬＢｎ及びＳＢｎを算出するという、計測結果の蓄積と分析を繰り返すことで、ユーザ個人の適正環境を分析する精度が向上し、算出する適正環境データがより正確になる。
【００７８】
また、図４は夜間の温度について説明したが、夜間に限らず、昼間の光、音及び温湿についても、同様の動作を行う。図５は、昼間のオフィスに係る温度の推移について説明する図である。例えば、昼間の病室、オフィス等に有効的に使用することができる。
【００７９】
図５に示す、温度の適正環境データＴＢ１は、エアコン２５ａを０８：００に「冷房：ＯＮ」、２２：００に「冷房：ＯＦＦ」とする内容になっており、夜間はエアコン２５ａは停止している。そして、温度に係る計測結果ＴＵ１では、ユーザ個人は９：３０及び１１：００に入力端末２２から入力を行い、温度を下げており、１８：００には温度を上げている。また、２１：００に入力端末２２から入力を行い、エアコン２５ａを停止している。この計測結果ＴＵ１を記録部１３に蓄積し、そして翌日以降は計測結果ＴＵ１及び蓄積された計測結果から、分析し、最新の適正環境データＴＢ２を算出する。
【００８０】
このように、本発明では、昼間、夜間を問わず、センサ２７の計測結果を記録部１３に蓄積し、蓄積された計測結果を分析してユーザ空間２１内の環境を適正環境に整備することができる。
【００８１】
また、図１、図２Ａ及び図２Ｂに示すように、滞在空間２０内に複数のユーザ空間２１Ａ、２１Ｂ、２１ｎを設けている場合、それぞれのユーザ空間２１内に滞在する各ユーザ個人が、それぞれ独立した複数の適正環境データＴＢ１Ａ、ＴＢ１Ｂ、ＴＢ１ｎで各ユーザ空間２１の駆動制御及び各ユーザ空間２１内の複数の計測結果の蓄積をすることができるため、各ユーザ個人のユーザ空間２１Ａ、２１Ｂ、２１ｎをそれぞれ適正環境に整備することができる。よってホテルの多人数部屋や、病院の多床室等でも、各ユーザ個人の適正な環境や病状に応じた適正環境で過ごすことができる。
【００８２】
＜処理フロー＞
次に、図６の処理フローに基づいて、実施形態１の全体の処理を詳しく説明する。
【００８３】
まず、ユーザ個人は、ユーザ空間２１の使用を開始する際に、入力端末２２から、ユーザ情報の入力を行う（ステップＳ１）。ユーザ個人が入力端末２２に入力するタイミングは、ユーザ空間２１が医療関係の病室では、病室に設置された入力端末２２に、ユーザ個人、医師、看護師等が入力する場合、医療関係の受付等では、医療関係者等が入力を行う、等が想定される。また、ユーザ空間２１がホテルの個室の場合では、ユーザ個人がホテルの個室内に設置された入力端末２２に入力する場合、ホテルのフロント等では、ユーザ個人又はホテルの従業員が入力を行う場合等が想定される。
【００８４】
前述のように、入力端末２２に入力する内容は、ユーザＩＤや会員番号、個人名等、ユーザ個人を特定できる内容であれば良い。認証部１１は、入力されたユーザＩＤや会員番号等を検索キーとして、記録部１３から、ユーザ個人のユーザ情報を特定し、演算処理部１２は、蓄積された計測結果があるかチェックする。
【００８５】
記録部１３に、ユーザ個人の蓄積された計測結果が存在する場合は（ステップＳ２でＹｅｓ）、演算処理部１２は、記録部１３からユーザ個人の計測結果を読み出し、計測結果の分析を行う（ステップＳ３）。
【００８６】
そして演算処理部１２は、分析結果から、ユーザ個人が滞在するユーザ空間２１の環境を適正環境に整備するための適正環境データを算出する（ステップＳ４）。適正環境データは図３示す、温度ＴＢ１、光ＬＢ１、音ＳＢ１及び、図４に示す温度ＴＢ２、温度ＴＢｎに該当する。
【００８７】
なお、最初の使用等で記録部１３に、ユーザ個人の蓄積された計測結果が存在しない場合は（ステップＳ２でＮｏ）、ユーザ個人等の入力者は、入力端末２２から、属性情報を入力する（ステップＳ５）。属性情報は、例えば、図４（Ａ）に示す「４０代、女性、寒がり」である。なお、ユーザ情報の入力（ステップＳ１）と同時に属性情報を入力するようにしても良い。
そして、演算処理部１２は、属性情報から最初の適正環境データを算出する（ステップＳ６）。最初の適正環境データは、例えば、図４（Ａ）に示す温度ＴＢ１である。
【００８８】
次に、演算処理部１２は、算出した適正環境データとセンサ２７の計測結果との差分を補正する環境補正データを作成する（ステップＳ７）。そして、環境補正データをユーザ空間２１内の制御部２６へ出力する（ステップＳ８）。
【００８９】
制御部２６は、受信した環境補正データに基づいてユーザ空間２１内の環境を整備するように、各設備機器２５（エアコン２５ａ、照明機器２５ｂ、スピーカー２５ｃ等）へ動作の制御を行う（ステップＳ９）。各設備機器２５は制御部２６からの指示を受け、それぞれ設備機器２５のＯＮ／ＯＦＦや出力の調整等の動作の変更を行う（ステップＳ１０）。
【００９０】
続けて、各センサ２７が計測結果を出力する（ステップＳ１１）。各センサ２７は、所定の時間間隔で、定期的に計測結果を出力する。時間間隔は任意（秒単位〜時間単位）でよく、昼間と夜間で出力の時間間隔を変えても良い。また、詳細な計測結果を必要とする場合は、時間間隔を短くすると良い。計測結果は日付、時刻等を含めて記録部１３に蓄積される（ステップＳ１２）。
【００９１】
次に、ユーザ空間２１内の適正環境を監視する処理動作について説明する。
ユーザ個人が、入力端末２２から適正環境を変更する場合を説明する。
ユーザ個人等が、ユーザ空間２１内の適正環境を変更しようと、入力端末２２から演算処理部１２への入力を行なった場合は（ステップＳ１３でＹｅｓ）、演算処理部１２は、入力端末２２からの入力内容から変更を反映した新たな適正環境データを作成し（ステップＳ１４）、そして、ステップＳ７に戻る。
【００９２】
また、入力端末２２から入力がない（適正環境の変更をしない）場合は（ステップＳ１３でＮｏ）、そのまま制御部２６による設備機器２５の駆動制御を続ける。
【００９３】
次に、適正環境と実際の計測結果のズレが生じた場合を説明する。
演算処理部１２は、所定の時間間隔で、ステップＳ１１での計測結果と、適正環境データ（図３示す、温度ＴＢ１、光ＬＢ１、音ＳＢ１及び、図４に示す温度ＴＢ２、温度ＴＢｎ）とを比較し、計測結果と適正環境データとのズレが生じていた場合（ステップＳ１５でＹｅｓ）は、前記ズレを適正環境データに戻すように補正をするための環境補正データを作成する（ステップＳ１６）。
【００９４】
そして、ステップＳ８に戻り、演算処理部１２は、作成した環境補正データをユーザ空間２１内の制御部２６へ出力する（ステップＳ８）。
【００９５】
また、計測結果と適正環境データのズレが生じていない場合は（ステップＳ１５でＮｏ）そのまま制御部２６による設備機器２５の駆動制御を続ける。
【００９６】
また、ユーザ個人が、入力端末２２からユーザ空間２１の使用を終了する旨の入力を行なった場合は（ステップＳ１７でＹｅｓ）、演算処理部１２は、制御部２６へ設備機器２５の停止を出力し、システムの運用を停止する（ステップＳ１８）。
【００９７】
なお、ユーザ個人が、入力端末２２へユーザ空間２１の使用を終了する旨の入力を行わない場合は（ステップＳ１７でＮｏ）、ステップＳ１１〜ステップＳ１７の、制御部２６の環境補正データに基づく設備機器２５の制御駆動と、センサ２７の計測結果の蓄積とを繰り替えし実行する。
【００９８】
上記のように、本発明によれば、認証部１１によりユーザ個人のユーザ情報を特定し、ユーザ個人の滞在したユーザ空間２１内のセンサ２７の計測結果を記録部１３に蓄積して、演算処理部１２は、計測結果の分析を行ない、分析結果からユーザ空間２１内の環境を適正環境に整備する適正環境データを算出し、そして演算処理部１２は、算出した適正環境データと計測結果の差分を補正する環境補正データを作成して制御部２６に出力し、制御部２６は環境補正データに基づいて設備機器２５を駆動制御し、ユーザ空間２１内の環境をユーザ個人の適正環境に自動で整備することができる。現在及び過去のユーザ個人が滞在したユーザ空間２１内の計測結果の蓄積されたデータ量が多ければ多いほど、分析された適正環境データの精度が向上するので、ユーザ個人の適正環境をより整備することができる。
【００９９】
上記では、ユーザ空間２１内の空間を、ユーザ個人の適正環境を整備するシステム、方法について、睡眠に特化して説明したが、これに限るものではない。
【０１００】
＜実施形態２＞
本発明の実施形態２として、ユーザ個人が好む・好まないに関わらず、ユーザ個人の体調を整えるように、演算処理部１２で適正環境データを算出するようにしても良い。
【０１０１】
例えば、人は約２４時間周期で変動する生理現象である体内時計（概日リズム、サーカディアン・リズム）を有しており、人体は朝に明るい光を浴びると、体内時計がリセットされる。この体内時計を調整するような適正環境データを演算処理部１２で算出し、ユーザ個人の体内時計を調整して生活リズムを正すための適正環境を提供することができる。
【０１０２】
例えば、朝は目覚めを助け、日中は覚醒を維持して活動における集中力や注意力を保つために、色温度を高めた白色系の光を適正環境とし、夜には余分な覚醒作用を生じないよう低照度で低色温度の光を適正環境とする。起床からユーザ個人が移動、滞在してきた各々のユーザ空間２１内の光センサ２７ｂ等の計測結果を元に分析することで、ユーザ個人の体内時計を整える適正環境を提供することができる。
また、このような生活リズムを正すためには、センサ２７として光センサ２７ｂ等の環境センサと合わせて生体センサを用いると、より好適である。
【０１０３】
さらに、起床時間が日によって異なる場合、起床時間から時刻に従ったタイムスケジュールに体内時計を強制的に合わせる適正環境データを算出する。
［１日目］０６：００起床、１８：００にユーザ空間内を点灯、２２：００にユーザ空間内を消灯（就寝）。
［２日目］０８：００起床、１８：００にユーザ空間内を点灯、２２：００にユーザ空間内を消灯（就寝）。
このように、１日目と２日目の起床時間が異なっても、ユーザ空間２１内の点灯及び消灯を同時刻に行うように計測結果を分析して適正環境データを算出し、ユーザ空間２１を、適正環境に調整することにより、ユーザ個人は就寝時間を同時刻になるように体調が整えられ、質の良い睡眠を誘うことができる。
【０１０４】
体内時計を調整して生活リズムを正すことは健康状態を保つために重要であり、病院、療養施設、寮生活等の一日のサイクルが決まっているユーザ個人の生活に対しては特に有効である。
【０１０５】
このように、本発明では、或る時間帯の計測結果から、別の時間帯の適正環境を提供する制御を行うことができる。
【０１０６】
さらなる応用例として、将来の適正環境を実現するために現在の環境を調整することができる。例えば、夜の就寝時のユーザ空間２１を適正環境にして快眠を得るために、演算処理部１２は、ユーザ個人の就寝時間及び夜のユーザ空間２１の使用時間帯を分析して、適正環境データを算出するようにしても良い。朝に滞在していたユーザ空間２１を日中不在にしても、夜のユーザ空間２１の使用開始時刻を見越した適正環境データを算出することで、帰還時にはユーザ空間２１が適正環境に整えるようにすることができる。
【０１０７】
＜実施形態３＞
本発明の実施形態３として、演算処理部１２が、適正環境データを算出する際に、計測結果の蓄積を分析することに加えて、外部で用意された適正環境データを使用するようにしても良い。
【０１０８】
例えば、医療関係施設等で「△△手術後の処置」の医療行為が定型で決まっている場合、その医療行為に合わせた適正環境データを予め準備しておく。△△手術後のユーザ個人（患者Ｐ）が認証部１１でユーザ情報が特定されると、患者Ｐのユーザ情報と医療カルテとをリンクし、予め準備した「△△手術後の適正環境データ」を演算処理部１２が採用するようにする。このようにすることで、患者Ｐのユーザ空間２１の適正環境は、「△△手術後の適正環境データ」で自動的に整備して、ユーザ個人の意志にかかわらず、治療に適正なユーザ環境を提供することができる。
【０１０９】
また、このとき、ユーザ情報と外部とのデータは個人名等の個人情報が特定できる内容を使用せずに、ユーザＩＤ、会員番号等を使用する。これにより、ユーザ個人の個人情報の漏洩を防ぎ、セキュリティを確保することができる。このように、外部システムとの連携を取ることができる。また、外部で用意された適正環境データを使用する対象は医療行為に限らず、多様な分野で使用することができる。
【０１１０】
以上の説明では、本発明を装置としてのユーザ空間環境管理システムとして構築したが、これに限られるものではない。すなわち、コンピュータにアプリケーションソフトを実装し、そのアプリケーションソフトを実行することにより、ユーザ個人のためのユーザ空間の環境を管理するためのユーザ空間環境管理プログラムであって、コンピュータに、前記ユーザ空間内の環境を設備機器で制御する機能と、前記ユーザ空間内の状態をセンサで計測する機能と、前記設備機器を制御部で駆動制御する機能と、前記ユーザ個人のユーザ情報を認証部で特定する機能とった、前記センサの計測結果と前記認証部で特定された前記ユーザ情報を入力として前記制御部を演算処理部で制御する機能と、前記ユーザ空間内の環境を前記ユーザ個人の適正環境に整備する機能とを実行させるユーザ空間環境管理プログラムとして構築しても良いものである。
【０１１１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１１２】
１    ユーザ空間環境管理システム
２    通信ネットワーク
１０  中央管理装置
１１  認証部
１２  演算処理部
１３  記録部
２０  滞在空間
２１  ユーザ空間
２２  入力端末
２５  設備機器
２５ａ、２５ａ１、２５ａ２          空調機器（エアーコンディショナー、エアコン）
２５ｂ、２５ｂ１、２５ｂ２、２５ｂ３  照明機器
２５ｃ、２５ｃ１  音機器（スピーカー）
２６    制御部
２７    センサ
２７ａ  温湿センサ
２７ｂ  光センサ
２７ｃ  音センサ
２８    什器
【図１】
2019066056.tif 000003
【図２Ａ】
2019066056.tif 000004
【図２Ｂ】
2019066056.tif 000005
【図３】
2019066056.tif 000006
【図４】
2019066056.tif 000007
【図５】
2019066056.tif 000008
【図６】
2019066056.tif 000009